(57)【特許請求の範囲】
【請求項１】
トイレの出入口の開口幅が、要介護寸法となされるとともに、この出入口に、幅寸法の異なる親戸と子戸とが引き違いに設けられてなり、親戸は出入口に隣接するトイレ側で開口幅方向に沿って慴動するように設けられ、子戸は出入口の開口部のうち、親戸の引き込み側の縦枠に沿って固定可能となされ、子戸を開口部に固定して親戸を開口させた状態で、トイレの出入口は、通常使用寸法に開口するようになされたことを特徴とするトイレの出入口構造。
【発明の詳細な説明】
【０００１】
【発明の属する技術分野】
本発明は、高齢者向けの住宅に好適なトイレの出入口構造に関するものである。
【０００２】
【従来の技術】
一般に、高齢者（車椅子使用者も含む）が居住する住宅におけるトイレの出入口の開口幅は、通常の使用時には８００ｍｍ、要介護状態での使用時には１２００ｍｍと言われている。
【０００３】
従来より、この開口幅を確保するために、図４（ａ）に示すように、１２００ｍｍの開口幅ａの出入口ｂに、８００ｍｍ以上の開口幅ｃを確保できる片引き戸ｄを設けることが考えられている。この場合、介護が不要の状態では、片引き戸ｄを開閉してトイレｅへ出入りでき、要介護状態では、片引き戸ｄを取り外した出入口ｂにカーテンなどの簡易な目隠しを設けることで、片引き戸ｄの開閉をすることなくトイレｅへ出入りできる。
【０００４】
また、図４（ｂ）に示すように、１２００ｍｍ以上の開口幅ｆの出入口ｇに、８００ｍｍの開口幅ｈを確保できる引き違い戸ｉを設けたりすることが考えられている。この場合、介護が不要の状態では、引き違い戸ｉの一方を開閉してトイレｅへ出入りでき、要介護状態では、引き違い戸ｉを取り外して出入口ｇにカーテンなどの簡易な目隠しを設けることで、上記片引き戸ｄよりも広い開口幅ｆを確保することが可能である。
【０００５】
【発明が解決しようとする課題】
しかし、上記片引き戸ｄの場合、片引き戸ｄ自体が幅広いため、出入口ｂの開口幅ａが１２００ｍｍであっても、この片引き戸ｄが納まる戸袋が必要となるため、引き残し寸法を４００ｍｍの多めにとったとしても、約２ｍの横幅、すなわち、トイレの奥行きに２ｍ以上もの寸法が必要となる。
【０００６】
また、上記引き違い戸ｉの場合、出入口ｇの開口幅ｆ自体が大きいので、この出入口ｆに隣接して洗面化粧台などが設けられているような場合、出入口ｆと洗面化粧台との間隙に埃が溜まり易くなる。
【０００７】
本発明は、係る実情に鑑みてなされたものであって、隣接する設備機器との取り合いが良く、トイレの奥行きを無駄に広くとることなく、充分な開口幅を確保することができるトイレの出入口構造を提供することを目的としている。
【０００８】
【課題を解決するための手段】
上記課題を解決するための本発明のトイレの出入口構造は、トイレの出入口の開口幅が、要介護寸法となされるとともに、この出入口に、幅寸法の異なる親戸と子戸とが引き違いに設けられてなり、親戸は出入口に隣接するトイレ側で開口幅方向に沿って慴動するように設けられ、子戸は出入口の開口部のうち、親戸の引き込み側の縦枠に沿って固定可能となされ、子戸を開口部に固定して親戸を開口させた状態で、トイレの出入口は、通常使用寸法に開口するようになされたものである。
【０００９】
この構成により、通常時は、親戸を開閉して出入りすることができる。また、居住者が要介護状態になってしまったような場合には、子戸と親戸とを取り外すことで、トイレの出入口の開口幅は、要介護寸法とすることができる。したがって、子戸と親戸とを取り外した後の出入口に、カーテンなどの簡易な目隠しを設けることで、要介護状態での利用が容易となる。
【００１０】
子戸と親戸とは、幅寸法が異なる変則の引き違い戸となされているので、親戸の引き込み側であって、子戸の戸当たり側のトイレ外部に壁部を構成することができる。
【００１１】
【発明の実施の形態】
以下、本発明の実施の形態を図面を参照して説明する。
【００１２】
図１は通常使用時におけるトイレ１の出入口構造を示し、図２は要介護者使用時における同トイレ１の出入口構造を示し、図３は通常使用時におけるトイレ１の出入口構造をトイレ1 内から見た状態を示している。
【００１３】
すなわち、このトイレ１の出入口構造は、トイレ１の出入口１０に、幅寸法の異なる子戸２１と親戸２２とからなる親子引き違い戸２が設けられている。
【００１４】
トイレ１は、洗面室３に隣接して設けられており、幅Ｗが約１ｍ、奥行きＤが約２ｍとなされている。トイレ１内の奥行きＤ方向に沿った一端側に便器１１が設けられている。洗面室３との間を仕切る側のトイレ１の一側壁面には、１２００ｍｍの開口幅Ｌの出入口１０が設けられている。
【００１５】
この出入口１０には、子戸２１が設けられている。また、この出入口１０のトイレ１側に隣接した位置には、親戸２２が設けられる。このうち、子戸２１は、出入口１０の内周縁に沿った枠部１２に設けられる。また、親戸２２は、上記枠部１２のトイレ１側に隣接した位置に、トイレ１の奥行きＤ方向全体、すなわち約２ｍの幅にわたる戸袋部１３に設けられる。トイレ１の奥行きＤ方向に沿って枠部１２に隣接する位置には、枠部１２と戸袋部１３との寸法差である約８００ｍｍに相当する幅の間仕切壁部１４が形成されている。
【００１６】
子戸２１は、幅が約３３０ｍｍに形成されており、上記枠部１２のうち、親戸２２の開方向Ｏ側の縦枠部１２ａに沿って固定できるようになされている。この固定は、縦枠部１２ａに設けられた固定用木片１２ｂと、子戸２１の戸先２１ａに設けられた凹部２１ｂとを嵌合させ、子戸２１の戸尻２１ｃに設けたフランス落し２１ｄによって、枠部１２の下枠１２ｃおよび上枠１２ｄと、子戸２１とを固定する。
【００１７】
親戸２２は、幅が約９００ｍｍに形成されており、上記戸袋部１３をトイレ１の奥行きＤ方向に沿ってスライド可能となされている。この親戸２２は、閉方向Ｃに親戸２２をスライドさせて完全に出入口１０を閉じた状態で、子戸２１との間に約３０ｍｍの重なりしろＡが形成されるようになされている。また、親戸２２は、開方向Ｏに親戸２２をスライドさせて完全に出入口１０を開けた状態で、子戸２１よりも約７０ｍｍ突出した引きしろＢが形成され、かつ約８００ｍｍの開口幅Ｅを確保することができるようになされている。
【００１８】
このようにして構成されるトイレ１の出入口構造によると、親戸２２を開くことで約８００ｍｍの通常使用幅Ｅを確保することができるので、高齢者や車椅子使用者でも通常に出入りすることができる。
【００１９】
また、居住者が、要介護者になってしまったような場合であっても、子戸２１と親戸２２とを取り外し、出入口１０にカーテンなどの簡易な目隠し４を設けることで、上記通常の使用時よりも幅広い約１２００ｍｍの開口幅Ｌを確保することができる。したがって、介護者と一緒であっても容易に出入りすることができる。
【００２０】
さらに、トイレ１と洗面室３との間には、約８００ｍｍもの幅の間仕切壁部１４を形成することができるので、洗面室３は、この間仕切壁部１４との間に隙間を生じることなく洗面化粧台３１を設置することができ、埃溜まりなどを生じ無い。
【００２１】
しかも、トイレ１は、子戸２１と親戸２２とからなる親子引き違い戸２を設けることにより、要介護者の使用にも充分な約１２００ｍｍの開口幅Ｌを確保でき、かつ、奥行きＤが約２ｍというコンパクトな空間に納めることができるので、空間設計の自由度が広がり、特に床面積が限定されているマンションなどの設計であっても容易に対応することができる。
【００２２】
【発明の効果】
以上述べたように、本発明によると、親戸を開閉することで通常の使用が可能で、かつ、子戸および親戸を取り外すことで、要介護者の使用が可能となる。
【００２３】
また、親戸の引き込み側であって、子戸の戸当たり側のトイレ外部に壁部を構成することができるので、トイレに隣接する空間に洗面化粧台などの設備機器を隙間なく設置することができる。
【００２４】
さらに、通常の使用時には、親戸のみを開閉させるだけなので、親戸の引き込み寸法を含めた出入口の横幅は、引き違い戸並かそれ以下に抑えることができ、トイレの奥行きが不用意に広くなって無駄な空間が形成されるのを防止することができる。
【図面の簡単な説明】
【図１】本発明に係るトイレの出入口構造における通常使用時の全体構成の概略を示す断面図である。
【図２】本発明に係るトイレの出入口構造における要介護者使用時の全体構成の概略を示す断面図である。
【図３】（ａ）は本発明に係るトイレの出入口構造において通常使用時に親戸を閉めた状態でトイレ内から見た部分破断図、（ｂ）は同図（ａ）におけるI-I 線断面図、（ｃ）は同図（ａ）におけるII-II 線断面図である。
【図４】（ａ）および（ｂ）は、従来のトイレの出入口構造を示す断面図である。
【符号の説明】
１  トイレ
１０  出入口
１２  枠部（開口部）
１２ａ  縦枠部
２  親子引き違い戸
２１  子戸
２２  親戸
Ｌ  開口幅
Ｅ  通常使用幅（通常使用寸法）
【図１】
0003716149.tif 000002
【図２】
0003716149.tif 000003
【図３】
0003716149.tif 000004
【図４】
0003716149.tif 000005